(57)【特許請求の範囲】
【請求項１】
底部の外周部に縁部が設けられた化粧料充填用の中皿と、底面と内壁面とを有する中皿収容凹部を備え、上記中皿を着脱自在に収容する容器本体と、上記容器本体を蓋する蓋体とを備える化粧料容器であって、上記容器本体の中皿収容凹部の内壁面または中皿の側部の外周面のいずれか一方に、中皿保持用の第１係合部が、上記中皿収容凹部の底面から距離を空けて形成され、上記の他方に、第１係合部に係合する第１被係合部が設けられ、上記第１係合部の近傍または第１被係合部近傍の、中皿収容凹部の底面または中皿の底部の下面のいずれか一方に、中皿保持用の第２係合部が形成され、上記の他方に、第２係合部に係合する第２被係合部が設けられ、これら互いに近接して配置された、上記中皿収容凹部の内壁面側の係合部と上記中皿収容凹部の底面側の係合部との間で、上記中皿の底部の縁部が挟持され、この中皿が中皿収容凹部内に着脱自在に収容されることを特徴とする化粧料容器。
【請求項２】
上記容器本体の中皿収容凹部の底面の所定位置に、周囲の三方を容器本体の裏面まで貫通するスリットで囲まれた可撓片が形成され、この可撓片の先端近傍に、上記第２係合部あるいは第２被係合部が設けられている請求項１記載の化粧料容器。
【発明の詳細な説明】
【技術分野】
【０００１】
本発明は、コンパクトケース等の化粧料容器に関するものである。
【背景技術】
【０００２】
従来から、ファンデーションやアイシャドー等の固形化粧料を充填した中皿（レフィル容器）を収容して携帯する化粧料容器として、コンパクトケース等の各種化粧料容器が用いられている。これら化粧料容器は、通常、容器本体の中皿収容凹部の内壁面（側面）における対向する位置に、係合用の凸部が対になって設けられており、この係合用凸部に、中皿の側部の外周面に形成された係合用の凹部（周溝等の被係合部）を嵌め合わせて係合させることにより、上記化粧料が充填された中皿を、両側面から挟み込むようにして収容・保持している。
【０００３】
ところで、近年、この中皿の着脱交換がユーザー自身の手で行われることが増えたことから、上記中皿の交換作業を容易で確実なものにするため、上記中皿収容凹部の内壁面に設けられた係合用凸部（対）の一方あるいは両方を、可動（可撓）式に構成した化粧料容器が考案されている（例えば、特許文献１〜３を参照。）。
【０００４】
図８は、上記係合用凸部を可撓式に構成した、従来の化粧料容器の構成例である。
この化粧料容器は、蓋体（図示省略）を備える容器本体２１に形成された中皿収容凹部２１ａに、ファンデーション等の固形化粧料を充填した中皿２２を収容保持するものであり、その中皿収容凹部２１ａの内壁面２１ｂには、上記中皿２２を挟んで対向する位置に、一対の係合用凸部２１ｃ，２１ｄが複数組設けられている。
【０００５】
なお、上記係合用凸部のうちの一方、図示左側の外枠側２１ｃは、周囲のスリットによって中皿収容凹部２１ａの内壁面２１ｂに形成された、舌片状の可撓片２１ｅとの先端近傍に一体に設けられているとともに、上記係合用凸部２１ｃ，２１ｄに当接する、中皿２２の側部２２ａの外周面には、上記係合用凸部２１ｃ，２１ｄに係合する被係合部（凹部２２ｂ）が形成されている。
【０００６】
この例のように、従来の化粧料容器における可撓式の中皿係合用凸部は、通常、変形により撓むことのできる可撓片（スリットに囲まれた舌片，爪部，柱部等）の先端近傍に形成されており、中皿を中皿収容凹部に上方から挿入することによって、上記可撓片と一体に形成された係合用凸部が、可撓片の変形で側方（中皿収容凹部の外側方向、図８においては左方）に変位し、上記中皿の被係合用凹部がこの係合用凸部の位置まで到達した時点で、上記可撓片が復帰して凸部が凹部に嵌り込み、係合するように構成されている。
【先行技術文献】
【特許文献】
【０００７】
【特許文献１】特開平９−４７３１９号公報
【特許文献２】特開平１１−２９０１１７号公報
【特許文献３】特開２００７−１７５１５７号公報
【発明の概要】
【発明が解決しようとする課題】
【０００８】
しかしながら、上記のような、中皿係合用凸部を中皿収容凹部の内壁面（容器本体の外枠）の可撓片上に形成した従来の化粧料容器は、図８のように、可撓片２１ｅの背後、すなわち係合用凸部２１ｃの裏側で、かつ、容器本体の最外壁との間に、この可撓片２１ｅが押された時に撓んで退避するための空間（すき間Ｓ）が必要で、容器本体２１の外枠２１ａの肉厚（幅方向厚みＤ）が、どうしても厚くなってしまうという欠点があった。
【０００９】
また、上記従来の化粧料容器は、上記可撓式の一方の中皿係合用凸部２１ｃと、この凸部２１ｃに対して中皿２２を挟んで対向する位置に設けられた他方の中皿係合用凸部２１ｄとの間に、図８に示すような、中皿２２の径に相当する大きな隔たり（係合部間の距離Ｌ）があるため、容器本体２１および中皿２２の寸法のばらつきによっては、これらの間に緩みやガタつきが発生するおそれがあり、その改善が望まれている。
【００１０】
本発明は、このような事情に鑑みなされたもので、中皿を容易かつ確実に着脱できる性能を維持しながら、容器本体の外枠を薄型化することができる化粧料容器の提供をその目的とする。
【課題を解決するための手段】
【００１１】
上記の目的を達成するため、本発明の化粧料容器は、底部の外周部に縁部が設けられた化粧料充填用の中皿と、底面と内壁面とを有する中皿収容凹部を備え、上記中皿を着脱自在に収容する容器本体と、上記容器本体を蓋する蓋体とを備える化粧料容器であって、上記容器本体の中皿収容凹部の内壁面または中皿の側部の外周面のいずれか一方に、中皿保持用の第１係合部が、上記中皿収容凹部の底面から距離を空けて形成され、上記の他方に、第１係合部に係合する第１被係合部が設けられ、上記第１係合部の近傍または第１被係合部近傍の、中皿収容凹部の底面または中皿の底部の下面のいずれか一方に、中皿保持用の第２係合部が形成され、上記の他方に、第２係合部に係合する第２被係合部が設けられ、これら互いに近接して配置された、上記中皿収容凹部の内壁面側の係合部と上記中皿収容凹部の底面側の係合部との間で、上記中皿の底部の縁部が挟持され、この中皿が中皿収容凹部内に着脱自在に収容される化粧料容器を第１の要旨とする。
【００１２】
また、本発明は、そのなかでも、特に、上記容器本体の中皿収容凹部の底面の所定位置に、周囲の三方を容器本体の裏面まで貫通するスリットで囲まれた可撓片が形成され、この可撓片の先端近傍に、上記第２係合部あるいは第２被係合部が設けられている化粧料容器を第２の要旨とする。
【発明の効果】
【００１３】
本発明は、中皿係合用凸部を有する可撓片により、化粧料が充填された中皿を中皿収容凹部内に収容保持する化粧料容器において、従来、中皿収容凹部の内壁面の対向面に、対になるように配設され、中皿を側方両側から挟み込むようにして保持していた中皿係合構造の一方を、上記中皿収容凹部の底面（中皿の底部の下面側）に配置することにより、中皿保持構造の簡素化と保持力アップ、および、化粧料容器本体の外枠の薄型化，スリム化を図ろうとするものである。
【００１４】
すなわち、本発明の化粧料容器では、上記中皿収容凹部の内壁面または中皿側部の外周面のうちのいずれか一方に、中皿保持用の第１係合部（係合用凸部等）が、上記中皿収容凹部の底面から距離を空けて形成され、上記中皿側部の外周面または中皿収容凹部の内壁面のうち、他方となる面（上記第１係合部に対向する面）に、この第１係合部に係合する第１被係合部（係合用凹部等）が形成されている。また、上記第１係合部の近傍または第１被係合部近傍の、上記中皿収容凹部の底面または中皿底部の下面のうちのいずれか一方に、上記第１係合部とは異なる、中皿保持用の第２係合部（係合用凸部等）が設けられ、上記中皿底部の下面または中皿収容凹部の底面のうち、他方となる面（上記第２係合部に対向する面）に、この第２係合部に係合する第２被係合部（係合用凹部等）が設けられている。そして、本発明の化粧料容器では、これら互いに近接して配置された、上記第１係合部と第１被係合部とからなる「中皿収容凹部の内壁面側の係合部」と、上記第２係合部と第２被係合部とからなる「中皿収容凹部の底面側の係合部」との間に、上記中皿の底部の縁部が挟持されることにより、この中皿を中皿収容凹部内に着脱自在に収容保持することができる。
【００１５】
さらに、本発明の化粧料容器は、中皿を側方両側から挟み込んで保持する従来の化粧料容器に比べ、上記中皿の底部を挟持する各係合部を近接して配置することが可能となり、これら係合部間の距離が短いため、容器本体および中皿の寸法にばらつきがあっても、その影響を受けにくくなる。また、上記中皿の底部の縁部が、斜め方向に把持されるため、中皿の保持力、特に、中皿着脱方向である上下方向の保持力が向上し、中皿収容凹部内に収容された中皿のガタつき等を抑えることができるという利点がある。
【００１６】
また、本発明の化粧料容器のなかでも、上記容器本体の中皿収容凹部の底面の所定位置に、周囲の三方を容器本体の裏面まで貫通するスリットで囲まれた可撓片が形成され、この可撓片の先端近傍に、上記第２係合部あるいは第２被係合部が設けられているものは、上記中皿の着脱を容易かつ確実に行うことができる。
【００１７】
しかも、この化粧料容器は、中皿収容凹部の壁面に可撓片を有する従来の化粧料容器のように、容器本体の外枠フレーム内に「可撓片が退避するための空間」を設ける必要がなく、容器本体の構造の簡素化と、外枠の薄型化が可能となる。
【００１８】
そして、本発明の化粧料容器は、射出成形等を用いてこれを製造する場合、従来品に比べて、無理抜きや移動金型の使用等、複雑な工程を減らすことが可能で、成形するための金型の構造，形状もシンプルになり、この金型および化粧料容器を安価に製造することができる点で有利である。したがって、本発明の化粧料容器は、従来品と同等の、中皿を容易かつ確実に着脱できる性能を維持しながら、容器本体の小型化やコストダウンを実現することができる。
【図面の簡単な説明】
【００１９】
【図１】本発明の実施形態における化粧料容器の構造を示す斜視図である。
【図２】本発明の実施形態の化粧料容器における中皿保持構造を示す斜視図である。
【図３】本発明の実施形態の化粧料容器における中皿収納手順を示す説明図である。
【図４】本発明の実施形態の化粧料容器における中皿保持構造を示す模式的断面図である。
【図５】本発明の実施形態の化粧料容器における中皿収納後の状態を示す斜視図である。
【図６】本発明の実施形態の化粧料容器における中皿収納後の中皿保持構造を示す模式的断面図である。
【図７】本発明の実施形態の化粧料容器における別の中皿係合構造を示す模式的断面図である。
【図８】従来の化粧料容器の構造を示す要部断面図である。
【発明を実施するための形態】
【００２０】
つぎに、本発明の実施の形態を、図面にもとづいて詳しく説明する。ただし、本発明は、この実施の形態に限定されるものではない。
【００２１】
図１は、本発明の実施形態における化粧料容器の構造を示す斜視図である。
この実施形態における化粧料容器は、ファンデーションやアイシャドー等の固形化粧料１０が充填された樹脂製中皿（レフィル）２を複数収容して携行するためのコンパクトケースであり、上記中皿２を収容するための中皿収容凹部１１および化粧に用いる用具を収容するための化粧用具収納凹部１２が形成された容器本体１と、この容器本体１を蓋する蓋体３とからなる。
【００２２】
容器本体１は、底部１ａと、この底部１ａから立設された外枠１ｂおよび内枠１ｃとからなり、上記中皿収容凹部１１および化粧用具収納凹部１２は、これら底部１ａと外枠１ｂおよび内枠１ｃに囲まれた空間に形成されている。なお、上記外枠１ｂおよび内枠１ｃが中皿収容凹部１１の側面（内壁面１１ｂ）を、上記容器本体１ａの底部１ａが中皿収容凹部１１の底面１１ａを構成している。
【００２３】
また、中皿２は、底部（底板）２ａと、この底部２ａの縁部から立設された周状の側部２ｂとからなる略カップ状で、これら底部２ａと側部２ｂにより形成された化粧料収容凹部内に、上記固形化粧料等が充填されている。なお、本実施形態における中皿２は、その側部２ｂが四隅（角部）を有する方形状に形成されており、この側部２ｂの各出隅部位に、後述する中皿保持用の側面凹部２ｄ（第１被係合部）がそれぞれ設けられている。
【００２４】
本実施形態における化粧料容器の構造的特徴は、図２の要部拡大図に示すように、上記中皿収容凹部１１の底面１１ａに、周囲の三方を容器本体１の裏面まで貫通する溝（スリット）で囲まれた可撓片１１ｃが形成され、この可撓片１１ｃ先端近傍に、上記中皿２の保持・固定に用いるためのリブ状の底面凸部１１ｄ（第２係合部）が一体に設けられている点である。また、中皿２が中皿収容凹部１１内に収納された場合に上記底面凸部１１ｄに対向する、この中皿２の底部２ａの下面（外面側）には、上記底面凸部１１ｄに係合する底面凹部２ｃ（第２被係合部）が形成されている。
【００２５】
さらに、上記底面１１ａ側に設けられた底面凸部１１ｄおよび底面凹部２ｃの近傍に位置する中皿収容凹部１１の内壁面１１ｂ（容器本体１の外枠１ｂの内側面）には、上記中皿２の保持・固定用の側面凸部１１ｅ（第１係合部）が、上記中皿収容凹部１１の底面１１ａから距離を空けて形成されており、中皿２が中皿収容凹部１１内に収納された場合に上記側面凸部１１ｅに対向する、この中皿２の側部２ｂの外周面（上記中皿側部２ｂの各出隅部位）には、上記側面凸部１１ｅに係合する側面凹部２ｄ（先に述べた「第１被係合部」）が形成されている。
【００２６】
つぎに、上記構造の化粧料容器の中皿収容凹部１１内に、中皿２を収容する手順について説明する。
図３および図４と、図５および図６は、それぞれ、本実施形態の化粧料容器における中皿２収容前の状態と、中皿２収容後の状態を示す図である。
【００２７】
容器本体１の中皿収容凹部１１内に、中皿２を収容する場合は、まず、先の図１，図２のように、中皿２を希望の挿入位置に合わせ、上記側面凹部２ｄが形成された面のいずれかを先（先端）にして、中皿２をその長手方向から所定位置に挿入する。
【００２８】
図３および図４は、中皿２が中皿収容凹部１１の最奥部まで挿入され、上記中皿２の挿入側先端部が、上記側面凸部１１ｅが形成された内壁面１１ｂに突き当たった状態であり、このとき、中皿収容凹部１１の側面凸部１１ｅの下側で、かつ、この側面凸部１１ｅと底面１１ａとの間に形成されたすき間Ｐに、上記中皿２の底部２ａの縁部２ｅが嵌り込んだ状態となる。
【００２９】
そして、中皿収容凹部１１から飛び出している、中皿２の手前側端部を押し下げ、この中皿２全体を中皿収容凹部１１内に押し込むことにより、図５および図６のように、上記中皿底部２ａの下面に形成された底面凹部２ｃに、上記中皿収容凹部底面１１ａの可撓片１１ｃ上に設けられた底面凸部１１ｄが嵌り込み、この中皿の中皿収容凹部１１内における位置決めと固定がなされる。
【００３０】
なお、上記中皿２全体を中皿収容凹部１１内に押し込む際には、中皿２の下面に押された可撓片１１ｃが一旦下方に撓むスペースが必要となる。しかしながら、本実施形態における化粧料容器は、上記可撓片１１ｃの下側に充分なすき間Ｓが形成されていることから、この可撓片１１ｃは容易に変形することができる。そして、上記中皿２の底面凹部２ｃがこの底面凸部１１ｄの位置まで到達した時点で、上記可撓片１１ｃが復帰して凸部１１ｄが凹部２ｃに嵌り込み、係合する。
【００３１】
上記の構成により、本実施形態における化粧料容器は、中皿２が容器本体の中皿収容凹部１１に収容された際に、図６のように、上記中皿底部２ａの縁部２ｅが、上記側面凸部１１ｅ（第１係合部）と側面凹部２ｄ（第１被係合部）とからなる「中皿収容凹部１１の内壁面１１ｂ側の係合部」と、上記底面凸部１１ｄ（第２係合部）と底面凹部２ｃ（第２被係合部）とからなる「中皿収容凹部１１の底面１１ａ側の係合部」との間に挟持され、この中皿２の抜け止めと、ガタつきが防止される。
【００３２】
また、この化粧料容器は、中皿を側方両側から挟み込んで保持する従来の化粧料容器に比べ、上記中皿２の底部の縁部２ｅを挟持する側面側および底面側の各係合部を近接して配置することが可能となり、これら係合部間の距離Ｌを短くすることができる。したがって、本実施形態の化粧料容器は、容器本体１および中皿２の寸法にばらつきがあっても、その影響を受けにくく、中皿保持構造の簡素化とその保持力のアップを図ることができる。
【００３３】
さらに、本実施形態における化粧料容器は、中皿収容凹部の壁面に可撓片を有する従来の化粧料容器のように、その背後（背面）の容器本体１の外枠１ｂ内に、「可撓片１１ｃが退避するための空間」を設ける必要がなく、容器本体１の構造の簡素化と、外枠１ｂの薄型化が可能となる。したがって、この化粧料容器は、従来品と同等の、中皿２を容易かつ確実に着脱できる性能を維持しながら、容器本体１を薄型化，スリム化することができる。
【００３４】
なお、上記実施形態においては、中皿収容凹部１１の内壁面１１ｂに第１係合部（側面凸部１１ｅ）を、中皿側部２ｂの外周面に第１被係合部（側面凹部２ｄ）を形成し、中皿収容凹部１１の底面１１ａに第２係合部（底面凸部１１ｄ）を、中皿底部２ａの下面に第２被係合部（底面凹部２ｃ）を形成した例を示したが、本発明の化粧料容器は、これら第１係合部（側面の係合用凸部）および第１被係合部（側面の係合用凹部）の組合せは、互いに対向する中皿収容凹部の内壁面と中皿側部の外周面のうちのいずれかに一方を形成し、他方を残りの対向面に形成すればよい。また、第２係合部（底面の係合用凸部）および第２被係合部（底面の係合用凹部）の組合せも、互いに対向する中皿収容凹部の底面と中皿底部の下面のうちのいずれかに一方を形成し、他方を残りの対向面に形成すればよい。
【００３５】
例えば、図７に示す本発明の他の実施形態のように、中皿側部２ｂの外周面に第１係合部となる側面凸部２ｇを、中皿収容凹部１１の内壁面１１ｂに第１被係合部となる側面凹部１１ｇを形成し、中皿底部２ａの下面に第２係合部となる底面凸部２ｆを、中皿収容凹部１１の底面１１ａに第２被係合部となる底面凹部１１ｆを形成してもよい。以上の構成によっても、中皿底部２ａの縁部２ｅが、上記側面凸部２ｇと側面凹部１１ｇとからなる「中皿収容凹部１１の内壁面１１ｂ側の係合部」と、上記底面凸部２ｆと底面凹部１１ｆとからなる「中皿収容凹部１１の底面１１ａ側の係合部」との間に挟持され、先に述べた実施形態における化粧料容器と同様の効果を奏することができる。
【００３６】
また、上記実施形態においては、容器本体１の中皿収容凹部１１内に、複数の樹脂製中皿２（樹脂皿）を収納した化粧料容器を例にあげたが、この化粧料容器に収納される中皿２は、金属製の金皿等、その他の種類の中皿であってもよい。さらに、中皿２の形状も、例示した方形の他に円形状等でもよく、また、中皿収容凹部１１に収納される中皿２の個数も、何個でも差し支えない。
【産業上の利用可能性】
【００３７】
本発明の化粧料容器は、ファンデーションやアイシャドー等の固形化粧料を充填した中皿を着脱自在に収容する化粧料容器に適する。
【符号の説明】
【００３８】
１  容器本体
１ｂ  外枠
２  中皿
２ａ  底部
２ｂ  側部
１１  中皿収容凹部
１１ａ  底面
１１ｂ  内壁面
【図１】
0005486279.tif 000002
【図２】
0005486279.tif 000003
【図３】
0005486279.tif 000004
【図４】
0005486279.tif 000005
【図５】
0005486279.tif 000006
【図６】
0005486279.tif 000007
【図７】
0005486279.tif 000008
【図８】
0005486279.tif 000009